(57)【要約】  本発明は、乾式真空掃除機によって吸入された吸気を排気として環境内に排出できる、携帯型乾式真空掃除機用の吹出口システムに関し、この吹出口システムは、乾式真空掃除機のハウジング内に配置され且つ任意選択的にエアクリーナカートリッジ又は排気アダプタが内部に収容され得る、収容ベイを有し、排気アダプタは、送風機ホースが接続する排気取付具を有し、且つエアクリーナカートリッジはこの種の出口取付具を含まない。
2021520269.tif 000002
【特許請求の範囲】
【請求項１】
吸入された吸気（ＳＬ）を排気（ＡＬ）として周囲（Ｕ）に排出できる、携帯型の乾式真空掃除機（１００）用の吹出口システム（５０）であって、
前記吹出口システム（５０）は、前記乾式真空掃除機（１００）のハウジング（９０）内に配設され且つ任意選択的にエアフィルタカートリッジ（２５）又は出口アダプタ（２７）が収容され得る、収容ベイ（２３）を有し、前記出口アダプタ（２７）は、送風機ホース（２９０）の接続用の出口取付具（２９）を有し、且つ前記エアフィルタカートリッジ（２５）がこの種の出口取付具を含まない
ことを特徴とする、吹出口システム。
【請求項２】
前記エアフィルタカートリッジ（２５）及び／又は前記出口アダプタ（２７）が、前記吹出口システム（５０）のモジュール部品であることを特徴とする、請求項１に記載の吹出口システム。
【請求項３】
前記収容ベイ（２３）がディフューザを形成することを特徴とする、請求項１又は２に記載の吹出口システム。
【請求項４】
前記出口アダプタ（２７）を固定するための少なくとも１つの保持ドーム（２４）が、前記収容ベイ（２３）内に設けられることを特徴とする、請求項１〜３のいずれか１項に記載の吹出口システム。
【請求項５】
前記エアフィルタカートリッジ（２５）が、複数のフィルタ開口（２４’）を有するフレーム（２４）を有することを特徴とする、請求項１〜４のいずれか１項に記載の吹出口システム。
【請求項６】
前記吹出口システム（５０）の前記収容ベイが、前記乾式真空掃除機（１００）の前記ハウジング（９０）内に配設され、且つ前記乾式真空掃除機（１００）が、前記ハウジングに配設され且つ動作中に吸気（ＳＬ）が吸入される、吸入ホース（２１０）の接続用に設計される、入口取付具（１０）を更に有し、前記収容ベイ（２３）が、前記ハウジング（９０）の角部（Ｅ）を横切って延びる、請求項１〜５のいずれか１項に記載の吹出口システム（５０）を有する乾式真空掃除機。
【請求項７】
前記乾式真空掃除機（１００）の前記ハウジング（９０）が、略立方体設計を有することを特徴とする、請求項６に記載の乾式真空掃除機。
【請求項８】
前記収容ベイ（２３）が、前記ハウジング（９０）の全高（ＧＨ）の少なくとも２５パーセントにわたって延びることを特徴とする、請求項６又は７に記載の乾式真空掃除機。
【請求項９】
前記入口取付具（１０）及び前記収容ベイ（２３）が、前記ハウジング（９０）の互いに対向する側部に位置する、請求項６〜８のいずれか１項に記載の乾式真空掃除機。
【請求項１０】
前記乾式真空掃除機（１００）が、バッテリ駆動設計を有し、且つ／又は１０キログラム未満の重量の携帯型設計を有することを特徴とする、請求項６〜９のいずれか１項に記載の乾式真空掃除機。
【発明の詳細な説明】
【技術分野】
【０００１】
本発明は、乾式真空掃除機用の吹出口システムに関する。乾式真空掃除機によって吸入された吸気は、吹出口システムを通して、排気として周囲に排出することができる。本発明は、同様に、この種の吹出口システムを有する乾式真空掃除機に関する。導入部で述べた種類の吹出口システム及び乾式真空掃除機は、原則的に従来技術から知られている。
【発明の概要】
【発明が解決しようとする課題】
【０００２】
本発明の目的は、乾式真空掃除機のコンパクトで可撓性のある構造に適した吹出口システムを提供することである。
【課題を解決するための手段】
【０００３】
本目的は、吹出口システムが、乾式真空掃除機のハウジング内に配設され且つ任意選択的にエアフィルタカートリッジ又は出口アダプタが内部に収容され得る、収容ベイを有することによって達成され、出口アダプタは送風機ホースの接続用の出口取付具を有し、且つエアフィルタカートリッジはこの種の出口取付具を含まない。
【０００４】
本発明による吹出口システムは、乾式真空掃除機の基礎をなし、この吹出口システムによって、吸入モードでは、入口取付具を通して吸気を吸入することができ、且つこの吸気を排気として周囲に排出することができる。エアフィルタカートリッジが、本発明にしたがって設けられた収容ベイ内に収容される場合、排気は、エアフィルタカートリッジによって濾過された後に周囲に排出される。反対に、エアフィルタカートリッジではなく出口アダプタが収容ベイ内に収容される場合には、乾式真空掃除機の送風モード用の送風機ホースを前記アダプタの出口取付具に接続することができる。よって、入口取付具を通って流入した吸気は、出口取付具と、出口取付具に接続された任意の送風機ホースとを通って排気として周囲に流入する。
【０００５】
本発明による吹出口システムは、特にコンパクトな設計の乾式真空掃除機の基礎をなす。
【０００６】
この種の乾式真空掃除機は、本発明による吹出口システムを備え、吹出口システムの収容ベイは、乾式真空掃除機のハウジング内に配設され、且つ乾式真空掃除機は、ハウジングに配設され且つ動作中に吸気が吸入される、吸入ホースの接続用に設計される、入口取付具を更に有し、収容ベイはハウジングの角部を横切って延びる。
【０００７】
この点に関して、従来技術で知られている乾式真空掃除機が、そのハウジング後端部に、例えば、送風機ホースの挿入に好適である吹出口を有し得ることが認識されている。これによって、乾式真空掃除機を「送風機」として使用することが可能となる。出口開口の断面積が小さいほど、排気の出口速度も速くなるので、周囲の塵埃の望ましくない渦も大きくなることが問題として認識されている。同様に、そのような乾式真空掃除機の周囲の使用者又は人々に空気が不快感をもたらすように衝突する可能性がある。説明した高い出口速度は、特にコンパクトな乾式真空掃除機の場合には問題である。
【０００８】
これを始まりとして、本発明による乾式真空掃除機は、ハウジングの角部を横切って延びる収容ベイを有する。このように角部を横切って位置決めされることよって、乾式真空掃除機のハウジングにおける空間を節約することができ、又は、比較的大きな流れ断面を有する出口を実現することができる。エアフィルタカートリッジ及び／又は出口アダプタが吹出口システムのモジュール部品である場合に有利であると分かっている。
【０００９】
特に好ましい一態様では、収容ベイは、ディフューザとして設計される。したがって、排気の流出速度の低下を達成することが既に可能である。
【００１０】
出口アダプタを固定できる、少なくとも１つの保持ドームを収容ベイ内に設けることができる。２つの保持ドームは、好ましくは、収容ベイの容積部内に設けることができる。よって、出口アダプタは、１つ若しくは２つの差し込み又はクランプピンを有することができ、これによって、出口アダプタを１つ若しくは複数の保持ドーム上に固定することができる。代案として、出口アダプタは、ねじ継手によって収容ベイ内にしっかりと固定することができる。
【００１１】
エアフィルタカートリッジが、複数のフィルタ開口を有するフレームを有する場合に、有利であると分かっている。それによって、空気が直線状に流出することを達成することが可能であり、さもなければ、ディフューザとして設計された収容ベイから空気が乱流として流れ出る。
【００１２】
乾式真空掃除機は、好ましくは、略立方体のハウジングを有する。収容ベイがハウジングの全高の少なくとも２５％にわたって延びる場合に有利であることが分かっている。収容ベイは、共通の角部に隣接する２つのハウジング表面部分の断面積と略等しい大きさの断面積を占有することが好ましい。換言すれば、収容ベイは、略立方体設計の乾式真空掃除機ハウジングの角部を横切って対称に形成することができる。
【００１３】
乾式真空掃除機の入口取付具及び収容ベイがハウジングの互いに対向する側部に位置する場合に有利であると分かっている。
【００１４】
特に好ましい一態様では、乾式真空掃除機は、バッテリ駆動設計を有する。特に好ましい態様として、乾式真空掃除機は、バッテリ駆動専用設計を有する。別の好ましい構成では、乾式真空掃除機は、１０キログラム未満の重量の携帯型設計を有する。これには、好ましくは、乾式真空掃除機を動作させるために設けられた充電式バッテリ（好ましくは２２Ｖのバッテリ）の重量が含まれる。
【００１５】
以下の図の説明においてさらなる利点を見出すことができる。図には、本発明の様々な実施例が示されている。図、説明及び特許請求の範囲は、多数の特徴を組み合わせて含む。当業者もまた、有用なさらなる組み合わせを形成するために、適宜、特徴を個別に検討し、それらを組み合わせるであろう。
【００１６】
図面において、同一の構成要素及び同一種類の構成要素は、同一の参照符号によって表される。
【図面の簡単な説明】
【００１７】
【図１】吹出口システムを有する携帯型乾式真空掃除機の好ましい実施例を示す図である。
【図２】出口アダプタが収容ベイ内に収容される、図１の実施例を示す図である。
【図３】エアフィルタカートリッジが収容ベイ内に収容される、図１の実施例を示す図である。
【図４】図３の実施例を示す異なる図である。
【発明を実施するための形態】
【００１８】
本発明による乾式真空掃除機１００の好ましい実施例を図１に示す。図１の乾式真空掃除機１００は、この場合は、バッテリ駆動専用である、コンパクトな携帯型乾式真空掃除機として設計される。図１に示すバッテリベイ８０は、好ましくは２２Ｖの電圧を有する、充電式給電バッテリ（ここでは図示せず）を収容する役割を果たす。図１は、乾式真空掃除機１００の後面斜視図を示している。
【００１９】
乾式真空掃除機１００は、この場合に示す実施例では立方体設計を有する、ハウジング９０を有する。ハウジング９０には、吸入ホース２１０（ここでは概略的にのみ示す）を接続するために使用される、入口取付具１０が配設される。入口取付具１０は、乾式真空掃除機１００の前側に位置し、よって、図１では部分的にしか視認できない。ハウジング９０の入口取付具１０とは反対の側部に、すなわち図１の最前面に、乾式真空掃除機１００の送風システム５０が配設される。吹出口システム５０は、角部Ｅ（鉛直方向の破線は角部Ｅを表す）を横切って延びる、収容ベイ２３を有する。換言すれば、収容ベイ２３は、ハウジング９０の角部Ｅを横切って延びる。この配置では、収容ベイ２３は、ハウジング９０の全高ＧＨの少なくとも２５％にわたって延びる。
【００２０】
乾式真空掃除機１００の動作中に、空気は、吸気ＳＬとして周囲Ｕから入口取付具１０又は入口取付具１０に接続された吸入ホース２１０に吸入される。この吸気ＳＬは、乾式真空掃除機１００内で分離された、塵埃粒子を搬送する。乾式真空掃除機１００内のフィルタ（具体的には図示せず）は、塵埃粒子を分離する役割を担う。次いで、吸入された吸気ＳＬは、排気ＡＬとして周囲Ｕに吹き出される。この吹き出しは、吹出口システム５０を通して、又は、より正確に言うと、ここで示す収容ベイ２３を通して行われる。
【００２１】
図１から分かるように、収容ベイ２３は、ディフューザとして設計され、それゆえ、流出した排気ＡＬは、既に減速している。
【００２２】
吹出口システム５０は、２つのモジュール構成要素、すなわち、出口アダプタ２７（図２を参照）と、エアフィルタカートリッジ２５（図３及び図４を参照）とを有する。カートリッジが内部に収容されていない収容ベイ２３は、図１で容易に視認できる。収容ベイ２３の内腔内に位置する保持ドーム２４は、保持ドーム２４に対応する、クランプピンによって出口アダプタ２７を固定するために使用される。より正確に言うと、２つの保持ドーム２４（下側の保持ドーム２４のみを視認できる）は、収容ベイ２３内に配設される。
【００２３】
次に、図２は、出口アダプタ２７が吹出口システム５０内に収容される、乾式真空掃除機１００を示している。出口アダプタ２７は、送風機ホース２９０（ここでは概略的に示す）の接続用の出口取付具２９を有する。そして、入口取付具１０によって吸入された吸気ＳＬは、出口取付具２９を通って又は出口アダプタ２７に接続される送風機ホース２９０を通って周囲Ｕに流出する。
【００２４】
図２から分かるように、出口アダプタ２７は、収容ベイ２３内に正確な嵌合で配設される。
【００２５】
出口アダプタ２７は、オフセットストッパ２８を有する円筒状開口を有する。送風機ホース２９０の一方のホース端部２９’は、この開口に正確な嵌合で挿入することができ、対向ストッパ２８’は、出口アダプタ２７のストッパ２８に対して停止接触する。出口アダプタ２７の内部開口は、ホース端部２９’に対応する円筒状設計を有する。代案として、出口アダプタ２７とホース端部２９’との間にテーパ状継手を設置することができる。
【００２６】
図２から容易に視認できるように、収容ベイ２３内に収容された出口アダプタ２７もまた、角部Ｅを横切って延び、乾式真空掃除機１００のハウジング９０の後側の及び側部の表面の一部を占有する。出口アダプタ２７は、図１に示す保持ドーム２４内に係合する、２つのクランプピン２６’によって収容ベイ２３内に確実に保持される。
【００２７】
図３は、エアフィルタカートリッジ２５が吹出口システム５０の収容ベイ２３（ここでは隠れている）内に収容される、乾式真空掃除機１００を示している。図２に示す出口アダプタ２７とは対照的に、図３のエアフィルタカートリッジ２５は、出口取付具を全く含まない。換言すれば、送風機ホースなどをエアフィルタカートリッジ２５に接続することは意図されていない。反対に、乾式真空掃除機によって吸入された吸気ＳＬは、排気ＡＬとしてエアフィルタカートリッジ２５から周囲Ｕに流出する。この流出は、エアフィルタカートリッジ２５のフレーム２４によって画定される、多数のフィルタ開口２４’を通して生じる。
【００２８】
図３から分かるように、フレーム２４は、フィルタ開口２４’の背後に視認できるフィルタマットと共に、ハウジング９０の角部Ｅを横切って位置する。同様に図３から分かるように、ハウジング９０の側部と後側の両方にフィルタ開口２４’があり、それによって、排気ＡＬのための比較的大きな流出断面を提供する。ここでも、収容ベイ２３と、収容ベイ２３内に正確な嵌合で収容されたエアフィルタカートリッジ２５が、ハウジング９０の全高ＧＨの少なくとも２５％にわたって延びることは明確に明らかである。エアフィルタカートリッジ２５は、フレーム２４と共に、クリップ留め具２２によってハウジング９０に固定される。
【００２９】
最後に、図４は、乾式真空掃除機１００の後面図を示している。エアフィルタカートリッジ２５が、フレーム２４及びフィルタ開口２４’と共に、角部Ｅを横切って形成されることは明確に明らかである。換言すれば、排気ＡＬは、フィルタカートリッジ２５から（図４の画像の平面から）後方に且つ側方（図４の左側）に流れる。２つのハウジング壁にわたって分配配置される、フィルタ開口２４’は、一緒になって、排気ＡＬのための比較的大きな流出断面を提供する。したがって、所望により、排気ＡＬの流速を低下させる。排気ＡＬの流れ部分が後側と側部の両方から（側部は後側とは異なる）流れ出ることによって、乾式真空掃除機の周囲の使用者への空気の不快な衝突が大幅に低減される。
【００３０】
図４から分かるように、収容ベイ２３は、ハウジング９０に設けられたバッテリベイ８０を抱持し、それによって、乾式真空掃除機１００の特にコンパクトな構造が確保される。
【符号の説明】
【００３１】
１０  入口取付具
２０  吹出口
２２  クリップ留め具
２３  収容ベイ
２４  フレーム
２４’  フィルタ開口
２５  エアフィルタカートリッジ
２６  保持ドーム
２６’  クランプピン
２７  出口アダプタ
２８  ストッパ
２８’  対向ストッパ
２９  出口取付具
２９’  ホース端部
５０  吹出口システム
８０  バッテリベイ
９０  ハウジング
１００  乾式真空掃除機
２１０  吸入ホース
２９０  送風機ホース
ＡＬ  排気
Ｅ  ハウジングの角部
ＧＨ  ハウジングの全高
ＳＬ  吸気
Ｕ  周囲
【図１】
2021520269.tif 000003
【図２】
2021520269.tif 000004
【図３】
2021520269.tif 000005
【図４】
2021520269.tif 000006
【国際調査報告】
2021520269.tif 000007
2021520269.tif 000008
2021520269.tif 000009
2021520269.tif 000010